【手続補正書】
【提出日】平成16年6月16日(2004.6.16)
【手続補正１】
【補正対象書類名】明細書
【補正対象項目名】特許請求の範囲
【補正方法】変更
【補正の内容】
【特許請求の範囲】
【請求項１】  加圧ガスパイプライン（１０）の中にケーブル（５１４，５６４）、導管（８，２３４，２５４，３４８，５６２，７８５）またはガスパイプ内部ダクト（１０００）を敷設する方法であって、
第１アクセスハウジングまたは装着具（３０，２７１，５３４，５３８，６７０）を加圧ガスパイプライン（１０）の第１場所に取り付ける工程と、
第２アクセス装着具（３０，２７１，５３４，５３８，６７０）を加圧ガスパイプラインの第２場所に取り付ける工程と、
第１アクセス装着具を通じて、並進部材（８，７０，３４８，５６２，５６４，７８５）をパイプラインの中に挿入する工程と、
並進部材を直接的または間接的に第１アクセス装着具とともに封止して、第１アクセス装着具におけるガス漏れを回避する工程と、
並進部材を、パイプラインを通じて第１アクセス装着具から第２アクセス装着具まで経路付けする工程と、
ケーブル、導管またはガスパイプ内部ダクトを直接的または間接的に並進部材に取り付ける工程と、
並進部材を、ケーブル、導管またはガスパイプ内部ダクトとともに第２アクセス装着具から第１アクセス装着具まで引き戻す工程と、
第１アクセス装着具を通じて、並進部材およびケーブル、導管またはガスパイプ内部ダクトをパイプラインから取り出す工程と、
ケーブル、導管またはガスパイプ内部ダクトを少なくとも間接的に第１アクセス装着具とともに封止して、第１アクセス装着具におけるガスの著しい漏れを回避する工程とを含むことを特徴とする方法。
【請求項２】  並進部材は、ダクトロッド（７０，７５６）であって、
第１圧力ハウジング内のマニピュレータ（３４，１０４，２７０，６９０）を用いて、ロッドエンドガイド（４２，２５０）をダクトロッドの端部に取り付ける工程と、
第２圧力ハウジング内の第２マニピュレータ（３４，１０４，２７０，６９０）によって、ロッドエンドガイドをダクトロッドから取り外す工程とをさらに含む請求項１の方法。
【請求項３】  マニピュレータを用いて、第１開口において第１シールド（４００）をパイプラインの中に配備する工程をさらに含む請求項２の方法。
【請求項４】  第１および第２のアクセス装着具を、弁や他の障害物が無いパイプラインの連続部分に取り付ける工程と、
第１および第２の弁（２１０，６８０）を第１および第２のアクセス装着具にそれぞれ取り付ける工程と、
パイプライン孔開け装置（２５１）を第１および第２の弁に取り付ける工程と、
パイプラインのガス圧動作中にパイプラインに孔開けを行って、第１および第２の開口を形成する工程とをさらに含む請求項１の方法。
【請求項５】  並進部材は、ダクトロッド（７０，７５６）であって、
第２場所において、マニピュレータ（３４，１０４）を用いてダクトロッドを把持する工程をさらに含む請求項１の方法。
【請求項６】  湿式または乾式の潤滑剤をケーブル、導管またはガスパイプ内部ダクトに塗布して、パイプラインへの入り込みおよび移送を促進する工程をさらに含む請求項１の方法。
【請求項７】  マニピュレータ（３４，１０４，２７０，６９０）を用いて並進部材を把持し、第１開口を経由して取り出すための取り出しツール（７５２，８１６，８００，８４０，９００）と接触させる工程をさらに含む請求項１の方法。
【請求項８】  パイプラインを建物の中に連結するサービスライン（５０６）を経由して、ケーブルまたは導管を連結する方法であって、
サービスラインをパイプラインから閉鎖する工程と、
サービスラインからガスを追い出す工程と、
第１および第２のケーブルまたは導管の装着具（５３４，５３８）をサービスラインに設置する工程と、
分岐ラインのケーブルまたは導管（５２２）をパイプラインのケーブルまたは導管に連結する工程と、
分岐ラインのケーブルまたは導管を、第１の装着具を介してサービスラインまで経路付けする工程と、
分岐ラインのケーブルまたは導管を、第２の装着具を介してサービスラインまで経路付けする工程と、
分岐ラインのケーブルまたは導管を、第２装着具を介してサービスラインの外側まで経路付けする工程と、
分岐ラインのケーブルまたは導管を、第２装着具から建物の中まで経路付けする工程と、
第１の装着具および第２の装着具を分岐ラインのケーブルまたは導管の周囲で封止し、第１および第２の装着具においてガス漏れを防止する工程と、
サービスラインをパイプラインに再び開く工程とを含む請求項１の方法。
【請求項９】  サービスラインは、パイプラインと第１の装着具との間に位置決めされたサービスライン弁（５２０）を閉じることによって、パイプラインから閉鎖されるようにした請求項８の方法。
【請求項１０】  圧縮不活性ガスを、サービスラインの第１端部に隣接したサービスラインの中に導入することによって、サービスラインからガスが追い出され、サービスラインの第２端部を換気するようにした請求項８の方法。
【請求項１１】  臨時のガス供給源（５２２）をサービスラインに連結する工程をさらに含む請求項９の方法。
【請求項１２】  加圧ガスパイプラインの中にケーブル、導管またはガスパイプ内部ダクトを敷設するためのシステムであって、
加圧ガスパイプライン（１０）に取り付け可能であって、ガスパイプラインの内側に連結可能な入口ポートを含む第１の孔開けまたはアクセス装着具（１８，８０，２０２，５３４）と、
第１のアクセス装着具に取り付け可能であって、第１マニピュレータ（３４，１０４，２７０，６９０）を内部に含む第１圧力ハウジング（３０，６７０）と、
加圧ガスパイプラインに取り付け可能であって、ガスパイプラインの内側に連結可能な出口ポートを含む第２の孔開けまたはアクセス装着具（１８，８０，２０２，５３４）と、
第２のアクセス装着具に取り付け可能であって、第２マニピュレータ（３４，１０４，２７０，６９０）を内部に含む第２圧力ハウジング（３０，６７０）と、
ケーブル、導管またはガスパイプ内部ダクトを、ガスパイプラインを通じて移動させるための駆動機構（６０，１２４）とを備えるシステム。
【請求項１３】  入口ポートを経由して加圧パイプラインの中に入り、出口ポートを経由して加圧パイプラインから出るのに適合したダクトロッド（７０，７５６）を備え、
駆動機構は、パイプラインを通じてダクトロッドを移動させるようにした請求項１２のシステム。
【請求項１４】  メインアーム（６７２）と、
メインアームに対して鋭角で取り付けられたサイドアーム（３５０，６７４）と、
サイドアーム内に設けられたシールアセンブリ（４４，３５２，３５６，３６４）と、
メインアームに設けられたトップフランジ（４０４，６８６）と、
トップフランジに設けられた透明な窓（６８８）と、
トップフランジの枢軸ジョイント（２７６）を通じて延びる少なくとも１つのマニピュレータアームアセンブリ（３４，１０４，２７０，６９０）と、
メインアームとパイプラインの間にある弁（２１０）とを備える第１圧力ハウジングを有する請求項１２のシステム。
【請求項１５】  マニピュレータチューブ（７０４）と、
マニピュレータチューブに取り付けられた枢軸プレート（７１４）と、
枢軸プレート上で旋回自在に支持され、パイプライン内の導管または並進部材に取り付けられた端部ノーズと係合するように適合したピックアップフォーク（７１８）と、
係合端部に連結したアクチュエータロッド（７０６）と、
アクチュエータロッドに設けられたハンドル（７３６）と、
マニピュレータチューブの周りに設けられた枢軸ボール（７１０）と、
枢軸ボールに関連したシール（７３２）とを備え、
マニピュレータチューブは、枢軸ボールを通ってスライド可能であるようにした第１マニピュレータを有する請求項１２のシステム。
【請求項１６】  シールドナット（３６０）に取り付けられたサービスヘッドアダプタ（３６８）と、
サービスヘッドアダプタ内に設けられた補強材（３６６）と、
シールドナット内に設けられ、サービスヘッドアダプタに対して係合された環状のシール（３６４）と、
シールドナットを通って、サービスヘッドアダプタからソケット径違い継手（３５８）まで延びるパイプセクション（３７０）と、
ソケット径違い継手の周りに設けられ、シールドナットに係合されたグランドナット（３５２）とを備え、
グランドナットは、アクセス装着具のサイドアーム（３５０）に対して封止されるようにした、第１アクセス装着具での入口ポートを有する請求項１２のシステム。
【請求項１７】  導管の敷設後、最終のガスタイトシールを内部ダクトの周りに設置する工程をさらに含む請求項８の方法。